(57)【要約】【課題】レンズ保持筒を移動させるカム溝に光軸と垂直な領域がなく、カム溝の傾斜角が一定ででないレンズ鏡筒においても、落下等の衝撃による性能低下や動作不良の発生を防ぐことを可能としたレンズ鏡筒を提供すること。【解決手段】レンズ保持筒に形成されているカムフォロワをガタ取り用の支持部材と付勢部材によってカム溝に対して付勢する構成のレンズ鏡筒において、支持部材に形成されたカムフォロワの外径部にカム溝の傾斜角と同一な少なくとも２つの角度の異なる平面部を形成することを特徴とする。【選択図】図１
2016166960.tif 000002
【特許請求の範囲】
【請求項１】
撮影光学系の光軸に対して一定でない傾きを持ち、互いに対向した第１のカム面と第２のカム面が形成された回転筒と、前記回転筒に設けられた第１のカム面にガイドされる第１のカムフォロアを介して前記回転筒の回転により光軸方向に移動可能な移動筒と、前記回転筒に設けられた第２のカム面にガイドされる第２のカムフォロアを介して前記回転筒の回転により光軸方向に移動可能な支持部材と、前記移動筒と前記支持部材を光軸方向に付勢する付勢手段を有し、前記付勢手段の付勢力によって前記第１のカムフォロアは前記第１のカム面に圧接させられ、第２のカムフォロアは第２のカム面に圧接させられるレンズ鏡筒において、
前記第２のカムフォロワが、第２のカム面の傾斜角と等しい少なくとも２つの角度の異なる平面部を有することを特徴とするレンズ鏡筒。
【請求項２】
前記回転筒は、前記第一のカム面と前記第二のカム面と異なる少なくとも１つのカム溝摺端面を有し、前記第２のカムフォロワは、前記回転端面の傾斜角と等しい少なくとも１つの平面部を有することを特徴とする請求項１に記載のレンズ鏡筒。
【請求項３】
前記第２のカムフォロワは、前記２つの角度の異なる平面部の間に、前記２つの角度の異なる平面部と接する、円形の外径部を有することを特徴とする請求項１に記載のレンズ鏡筒。
【発明の詳細な説明】
【技術分野】
【０００１】
本発明は、回転筒の回転に連動してレンズ保持筒等の移動部材を光軸方向に移動させるレンズ鏡筒に関し、特にレンズ保持筒に形成されているカムフォロワを支持部材と付勢部材によってカム溝に対して付勢している構成のレンズ鏡筒に関する。
【背景技術】
【０００２】
従来、カメラのレンズ鏡筒に関するものとして、カム環に形成されるカム溝にレンズ鏡筒に形成されるカムフォロワを挿入し、カム環の回転によりレンズ保持筒をカム環に対し、前後に進退させるものが知られている。この際、レンズ保持筒のカムフォロワとカム溝の間にガタがあると、レンズの位置精度や倒れなどが変化して光学性能を低下させてしまう。
【０００３】
このガタを防ぐため、レンズ保持筒と光軸方向に所定間隔を空けて支持部材を配置し、これらをバネなどの付勢部材によって光軸方向に互いに付勢することが提案されている（特許文献１）。これによって、レンズ保持筒に形成されたカムフォロワとカム溝、支持部材に形成されたカムフォロワとカム溝とのガタをなくすことができる。
【０００４】
このようなレンズ鏡筒にあっては、落下等による衝撃、特に光軸方向の衝撃を受けたとき、カムフォロワとカム溝に力がかかることにより、カムフォロワの変形や破損、カム溝の変形や打痕が発生することがある。これらによって、レンズ鏡筒の光学性能が低下したり、レンズ保持筒が滑らかに進退移動できなくなり動作不良やマニュアル操作手感の不良を引き起こしたりしてしまう。
【０００５】
これに対する対策として、特許文献２ではカムフォロワに光軸と垂直な平面を設け、それに対応するカム溝に光軸と垂直な領域を設けることが提案されている。カム溝の光軸と垂直な領域は、沈胴時やＷｉｄｅ端時、またはＴｅｌｅ端時に使用され、カムフォロワの光軸と垂直な平面と相対する。衝撃等を受けた際にこの平面がカム溝と衝突するが、その際の接触面積が増えるため、衝撃によるカムフォロワとカム溝に発生する変形や破損・打痕を軽減させることができる。
【０００６】
また、特許文献３では、カムフォロワにカム溝の傾斜角と平行な角度を持った平面部を設けることで、Ｗｉｄｅ端やＴｅｌｅ端、望遠端以外の領域においても、衝撃による変形等を軽減させるレンズ鏡筒も提案されている。
【先行技術文献】
【特許文献】
【０００７】
【特許文献１】特開２０００−３０４９９６号公報
【特許文献２】特開２００３−８４１８６号公報
【特許文献３】再公表特許  国際公開番号Ｗ２００９／０９３４７５
【発明の概要】
【発明が解決しようとする課題】
【０００８】
しかしながら、ズームやフォーカスなどをマニュアルで操作する一眼レフカメラ用交換レンズなどのレンズ鏡筒においては、レンズ保持筒を移動させるカム溝に光軸と垂直な領域を設けることは通常難しいため、特許文献１のような構成は採用しづらい。
【０００９】
また、レンズ鏡筒によっては、カム溝が途中で曲がっていたり角度が変化していたりして、光軸に対して一定の傾斜角で形成されていない場合があり、特許文献２のようなカムフォロワ形状を採用しても、効果は得られない。
【００１０】
そこで、本発明は、レンズ保持筒を移動させるカム溝に光軸と垂直な領域がなく、カム溝の傾斜角が一定ででないレンズ鏡筒においても、落下等の衝撃が加わることによる性能低下や動作不良の発生を防ぐことを可能としたレンズ鏡筒を提供することにある。
【課題を解決するための手段】
【００１１】
上記の目的を達成するために、本発明は、レンズ保持筒に形成されているカムフォロワをガタ取り用の支持部材と付勢部材によってカム溝に対して付勢する構成のレンズ鏡筒において、支持部材に形成されたカムフォロワの外径部にカム溝の傾斜角と同一な少なくとも２つの角度の異なる平面部を形成することを特徴とする。
【発明の効果】
【００１２】
本発明によれば、レンズ鏡筒に落下等により衝撃が加わっても、カムフォロワの変形や破損、カム溝の変形や打痕の発生を軽減させることができる。これにより、光学性能が低下することがなくスムーズで快適な操作が損なわれないレンズ鏡筒の提供を実現できる。
【図面の簡単な説明】
【００１３】
【図１】レンズ鏡筒の主要部の斜視図
【図２】レンズ鏡筒の主要部の側面図
【図３】レンズ鏡筒の主要部の断面図
【図４】レンズ鏡筒の主要部の断面図
【図５】本発明の従来例
【図６】本発明の実施例１
【図７】本発明の実施例２
【発明を実施するための形態】
【００１４】
以下に、本発明の好ましい実施の形態を、添付の図面に基づいて説明する。図１から図４には本発明の構成をもつレンズ鏡筒の主要部を示している。
【００１５】
図１はレンズ鏡筒の主要部の斜視図、図２は主要部の側面図、図３は図２に示すＡ−Ａ断面図である。図４は図２に示すＢ−Ｂ、Ｃ−Ｃ断面図である。いずれの図も左右方向が光軸方向であり、向かって左側が物体（被写体）方向を示し、向かって右側が像面（撮像素子面）方向を示す。
【００１６】
一眼レンズカメラなどの交換可能なカメラにおいては向かって右側のカメラに配置された撮像素子に被写体像が結像されることで写真を撮影することができる。
【００１７】
２は不図示のカメラボディに対して不動に固定された案内筒である。ただし、図１では図の見やすさのために案内筒２を省略している。１は案内筒２の外周に回転自在に嵌合するカム環である。カム環１には、第一のカム面１１Ｆおよびこの第一カム面１１Ｆと対向した同形状の第２のカム面１１Ｒを有するカム溝１１が形成されている。カム環１は案内筒２に対し、不図示のバヨネット機構等により、光軸方向の移動が阻止された状態で光軸回りで定位置回転可能である。
【００１８】
３はレンズ部材（フォーカスレンズまたはズーム用レンズ）３１を保持するレンズ保持筒であり、カム環１と案内筒２の内周に光軸方向に移動可能に保持されている。このレンズ保持筒３の外周部３ヶ所には、第一のカム面１１Ｆにガイドされる（係合する）第一のカムフォロア３２が取り付けられる。この第一のカムフォロア３２はカム溝１１に形成された第一のカム面１１Ｆに当接係合するとともに、ここを貫通して案内筒２に形成された案内溝２１に当接係合する。図１〜図４ではレンズ部材３１はズームレンズであり、Ｗｉｄｅ端の状態にある。
【００１９】
また、レンズ保持筒３の後端（像面）には、ザグリ形状３３が周方向に３ヶ所均等に設けられている。４１はレンズ保持筒３の本体部の後端から、本体部との間に所定間隔を空けて配置される支持部材である。支持部材４１には軸ビス４４が挿入され、レンズ保持筒３との間にコイルバネ４３を狭持するように配置され、軸ビス４４はレンズ保持筒３にネジ止めされる。よって、支持部材４１はレンズ保持筒３に対して、光軸方向に移動可能となっており、その間にコイルバネ４３が圧縮された状態で保持されている。
【００２０】
これにより、レンズ保持筒３と支持部材４１とは、光軸方向に互いに離れる方向に付勢される。そして、このように互いに離れる方向に付勢されたレンズ保持筒３と支持部材４１とは、支持部材４１が軸ビス４４の頭部に当接することによって、支持部材４１の光軸方向の相対移動許容量が制限される。このようにコイルバネ４３と、これによって互いに離れる方向に付勢されるレンズ保持筒３および支持部材４１とがユニット化される。
【００２１】
このようにユニット化された状態で、レンズ保持筒３と支持部材４１とは、光軸方向に互いに離れる方向に付勢されてはいるが、光軸方向に相対移動可能である。さらに、上記のユニット化されたレンズ保持筒３を、カム環１および案内筒２に挿入し、レンズ保持筒３にカムフォロア３２を取り付け、支持部材４１にカムフォロア４２を取り付ける。この状態で、第一のカムフォロワ３２は第一のカム面１１Ｆに対して、第二のカムフォロア４２は第二のカム面１１Ｒに対して、コイルバネ４３の付勢力によって付勢されている。よって図２〜図４のように、第一のカムフォロア３２は第一のカム面１１Ｆにガイド（係合）され、第二のカムフォロア４２は第二のカム面１１Ｒにガイド（係合）される。
【００２２】
このようにカムフォロア３２・カムフォロア４２とカム溝１１との間にガタはなくなり、レンズ保持筒３を光軸に対する倒れやシフトをすることなく保持することが可能である。この状態では前記のユニット化された状態と比べると、コイルバネ４３は、より圧縮された状態で保持されており、支持部材４１と軸ビス４４の頭は当接することなく隙間が開いている。
【００２３】
続いて、レンズ部材３１の移動について説明する。
【００２４】
前述のようにレンズ部材３１を保持するレンズ保持筒３は、カム環１の回転によって、案内筒２の案内溝２１に直進案内されながら、光軸方向前後に進退する。カム環１は、レンズ鏡筒の外装に具備された操作リングを操作することや、カメラの操作スイッチを操作することによって、案内筒２に対して相対回転する。レンズ部材３１はフォーカスレンズであってもズームレンズであっても、それ以外のレンズであっても構わない。
【００２５】
ここでレンズ鏡筒に落下等による衝撃が加わったとする。カム溝１１にはカムフォロワ３２、４２を介して、主にレンズ保持筒３とレンズ部材３１の重量による荷重がかかる。具体的には、レンズ鏡筒に対して、レンズ鏡筒の先端側から衝撃が加わったとする。カムフォロワ３２はレンズ部材３１およびレンズ保持筒３の重量により、カム環１の第一カム面１１Ｆに衝突し、カムフォロワ３２が変形したり、第一カム面１１Ｆに打痕等が発生したりする。カムフォロワ３２が変形するとレンズ部材３１の光軸方向の位置、光軸に対しての倒れ、光軸に対しての偏芯位置が変化し、レンズ鏡筒の光学性能が低下する。よって、カムフォロワ３２は衝撃が加わっても容易に変形しないよう、樹脂製ではなく金属製とすることが多い。
【００２６】
また、カム面１１Ｆに打痕が発生すると、ズームやフォーカスのマニュアル操作時に、カムフォロワが打痕に落ち込んだり乗り上げたりするため、操作リングなどを介してその感触が手に伝わり、スムーズで快適な操作感覚が損なわれる。この打痕によっても、レンズ部材３１およびレンズ保持枠３の位置が変化し、光学性能が低下する。
【００２７】
一方、レンズ鏡筒に対して、カメラ側（像面側）から衝撃が加わった場合は、カムフォロワ４２がカム溝１１の第二カム面１１Ｒに衝突し、カムフォロワ４２が変形したり、カム第二カム面１１Ｒに打痕等が発生する。しかし、カムフォロワ４２やカム面１１Ｒが変形しても、すぐにはレンズ鏡筒の光学性能の変化には至らない。なぜなら、カムフォロワ４２は支持部材４１に取り付けられており、支持部材４１は、コイルバネ４３によってカム環１の第二カム面１１Ｒに向かって付勢されている。
【００２８】
一方、レンズ保持筒３に取り付けられているカムフォロワ３２はあくまで、カム面１１Ｆに向かって付勢され、その位置はカム面１１Ｆによって決まっている。そして、両者（レンズ保持筒３と支持部材４１）は互いに離れる方向に付勢され、それぞれに取り付けられたカムフォロワは前後のカム面に対して、ガタ無き状態で保持されている状態である。このガタが無い状態である限りはレンズ保持筒３およびレンズ部材３１の光軸方向の位置、光軸に対しての倒れ、光軸に対しての偏芯位置は変化しない。よって、レンズ鏡筒の光学性能の変化は起こらない。ただし、カムフォロワ４２の光軸方向の変形量（つぶれた量）分やカム面１１Ｒの変形量（打痕の深さ分）だけ、コイルバネの圧縮量は減少する。
【００２９】
ところが、レンズ鏡筒にかかる衝撃が大きすぎると、カムフォロワ４２の変形量（つぶれ量）が大きくなる。このつぶれ量が大きいと、レンズ保持筒３に対して離れる方向に付勢されている支持部材４１が、軸ビス４４の頭部に接する。接することによって、支持部材４１の光軸方向の相対移動量は制限される。結果、カムフォロワ３２とカムフォロワ４２がカム溝１１内で光軸方向で離れる方向に付勢される付勢力は働かなくなり、ガタが発生する。前述したようにガタが発生すると、レンズ保持筒３の光軸方向の位置、光軸に対しての倒れ、光軸に対しての偏芯位置が変化し、レンズ鏡筒の光学性能が低下する。
【００３０】
さらには、ガタがある状態では、ズームやフォーカスのマニュアル操作で意図通りにレンズ部材が移動せず、操作感覚が損なわれる可能性がある上、極端な場合は操作によるレンズ部材の動作が不可能となってしまう。また、衝撃によってカム溝１１Ｒに打痕が発生すると、ズームやフォーカスのマニュアル操作時に、カムフォロワが打痕に落ち込んだり乗り上げたりするため、操作リングなどを介してその感触が手に伝わり、スムーズで快適な操作が損なわれる。ただし、前述したように、この打痕によっては光学性能の低下は起こらない。
【００３１】
上記では、レンズ鏡筒の先端側から衝撃が加わったときにカムフォロワ３２および第一カム面１１Ｆに、レンズ鏡筒のカメラ側（像面側）から衝撃が加わったときにカムフォロワ４２および第二カム面１１Ｒに変形や打痕等が発生するように説明している。しかし、実際はレンズ鏡筒に対して、どちら側からの衝撃であっても、カムフォロワ３２および４２はカム溝１１のカム面１１Ｆと１１Ｒ間でバウンドを繰り返し、両方に衝撃は加わる。また、レンズ鏡筒に対して光軸方向の前後だけでなく、光軸と垂直な方向から衝撃を受けた際でも、カムの傾斜に沿って、レンズ保持枠３が光軸方向に移動しようとするため、カムフォロワおよびカム溝にも衝撃は加わる。よって、どの方向から衝撃が加わったとしても、上記のようなカムフォロワおよびカム溝の変形は起こりえる。
【００３２】
上記に説明してきたような問題を解決するために、本発明ではガタ取り用の支持部材４１に取り付けられたカムフォロワ４２の外径部に、角度の異なる少なくとも２つの平面部を設けることを提案している。
【００３３】
以下に具体的な実施例を用いて詳細に説明する。
【実施例１】
【００３４】
本実施例ではレンズ部材３１がズームレンズであり、カム環１を回転させてこれを光軸方向に進退させることによって、ズームを行うことが可能であるレンズ鏡筒とする。
【００３５】
図５は図１から図４におけるカム環１のカム溝１１を展開形状で示したもので、図１から図４におけるカムフォロワ４２がＷｉｄｅ端、Ｔｅｌｅ端に位置している状態を表している従来例である。Ｗｉｄｅ端状態におけるカムフォロワ４２は４２Ｗであり、Ｔｅｌｅ端状態においては４２Ｔである。カムフォロワ４２は円形状であるため、カム溝とはカム溝の奥行き幅またはカムフォロワの厚み幅のみの線接触で接触している。このため接触面積が小さく、衝撃を受けた際に、カムフォロワ４２の変形量（つぶれ量）は大きくなり、前述したような問題が発生してしまう。
【００３６】
これに対して、本発明の実施例１では図６のようなカムフォロワ形状を提案している。カムフォロワ５２は外径部に平面部５２１と平面部５２２を有しており、２つの平面部をＲ形状部５２３でつないでいる。Ｒ形状部５２３の半径はカムフォロワ４２の半径と同一であり、Ｒ形状部５２３はカムフォロワ４２の外径の一部と同一の形状である。ズームにおけるＷｉｄｅ端状態では、カムフォロワ５２は５２Ｗの位置にあり、平面部５２１の平面の角度は第二カム面１１Ｒの傾斜角と略等しく、略平行である。同様に、ズームにおけるＴｅｌｅ端状態では、カムフォロワ５２は５２Ｔの位置にあり、平面部５２２の平面の角度は第二カム面１１Ｒの傾斜角と略等しく、略平行である。つまり、Ｗｉｄｅ端状態では平面部５２１が、Ｔｅｌｅ端状態では平面部５２２がカム面１１Ｒと接触している。これによって、従来よりＷｉｄｅ端状態とＴｅｌｅ端状態におけるカムフォロワ５２と第二カム面１１Ｒとの接触面積が増加し、衝撃等による前述の問題の発生が抑えられる。
【００３７】
また、Ｍｉｄｄｌｅ領域では、カムフォロワ５２は、Ｒ形状部５２３が第二カム面１１Ｒに沿って移動するが、Ｒ形状部は従来の円形状であったカムフォロワ４２と同一形状であるため、接触面積が増えず、カム環１を回転させるためのトルクは従来と変わらない。よって実際のズーム操作では、従来と同じ操作力で操作することができる。
【００３８】
上記の提案では、Ｍｉｄｄｌｅ領域においては、カムフォロワとカム溝の接触面積は増加していないため、衝撃等による前述の問題の発生は抑えられない。しかし、ズームレンズは通常Ｗｉｄｅ端とＴｅｌｅ端が最も使用頻度が高いうえ、落下等による衝撃を受ける可能性が高い持ち運び時にはズームポジションをＷｉｄｅ端またはＴｅｌｅ端状態にしておくことが多い。さらにズームによりレンズ鏡筒の全長が伸び縮みするズームレンズの場合は、一般的にはＷｉｄｅ端状態が最も全長が短いことが多く、持ち運び時やバック等への収納時にはＷｉｄｅ端状態にする可能性が高い。よって、ほとんどの場面では本発明の提案は有効である。
【００３９】
上述ではレンズ部材３１はズームレンズであったが、これがフォーカスレンズやそれ以外のレンズであっても構わない。フォーカスレンズであっても、無限端と至近端が利用頻度が高い。また、フォーカスによってレンズ鏡筒の全長が伸び縮みするタイプの場合は、一般的には無限端で最も全長が短い場合が多く、ズームと同様に、本発明の提案は多くの場合で有効である。
【００４０】
また、カムフォロワ３２とカムフォロワ５２は光軸方向に互いに離れる方向に付勢されているが、互いに引っ張り合う方向で付勢されていてもよい。
【００４１】
また、カムフォロワ５２は、例えばポリアセタール樹脂のような樹脂製であることが望ましいが金属製であっても構わない。
【実施例２】
【００４２】
図１から図４には本発明の構成をもつレンズ鏡筒の主要部を示している。
【００４３】
図１から図４における詳細説明は前述した通りであり、実施例２においてもレンズ部材３１がズームレンズであり、カム環１を回転させてこれを光軸方向に進退させることによって、ズームを行うことが可能であるレンズ鏡筒として説明する。
【００４４】
これに対して、本発明の実施例２では図７のようなカムフォロワ形状を提案している。カムフォロワ６２は外径部に平面部６２１と平面部６２２を有しており、２つの平面部をＲ形状部５２３でつないでいる。ここまでは実施例１と同じであるが、実施例２ではさらに、平面部６２４と平面部６２５も備えている。
【００４５】
これらの効果について次に説明する。Ｗｉｄｅ端状態ではカムフォロワ６２は６２Ｗの位置にあり、第二カム面１１Ｒにガイドされ位置が決まっている。そしてカム溝１１のカム終わりの壁１１Ｗとカムフォロワ６２Ｗは接触していない。また、Ｔｅｌｅ端状態でも同様に、６２Ｔとカム終わり１１Ｔは接触しておらず、隙間があいている。カム終わりの壁１１Ｗと１１Ｔは、ズームの機能上必ず必要なわけではないが、カム環１の機械強度を上げるために設けられることが多い（閉じカムのほうが強度が高い）。
【００４６】
ここで、仮にＷｉｄｅ端状態でレンズ先端側から衝撃を受けた場合を想定する。ズームレンズ３１およびレンズ保持筒３は自重によりレンズ先端側に移動しようとする。その際にカムフォロワ３２によりカム溝１１の第一カム面１１Ｆに光軸に平行な方向に力がかかるが、カム溝が光軸に対して傾斜しているために、一部の力はカム環１を回転させる力となる。その際に衝撃が大きければカム環１の回転力は大きくなり、レンズ保持筒３の慣性により、カムフォロワ６２Ｗとカム溝終わり１１Ｗが接触する。実際は、実施例１のように平面部６２１がカム面１１Ｒと接触するのとほぼ同時に、平面部６２４がカム溝終わり１１Ｗと接触する。つまりは、実施例１よりもさらに接触面積が増え、カムフォロワ６２の変形やカム溝の打痕等を軽減することができる。
【００４７】
Ｔｅｌｅ端状態でも、像面（カメラ）側から衝撃を受けた場合は、カムフォロワ６２Ｔとカム溝終わり６２Ｔが接触するため、同様の効果が得られる。
【００４８】
これらの平面部６２４、６２５はＷｉｄｅ端状態とＴｅｌｅ端状態以外では効果が得られないが、実施例１で説明したように、Ｗｉｄｅ端とＴｅｌｅ端状態にある場合が多いため、ほとんどの場合は有効である。
【００４９】
実施例１と同様に、フォーカスなどレンズ部材を移動させる構成であればズームに限定されるものではない。
【００５０】
また、カム終わり１１Ｗと１１Ｔは平面部６２４および６２５と接触することによるカム環１の回転ストッパーとなっていても、なっていなくてもよい。さらには、カム終わり１１Ｗと１１Ｔは図のように光軸と平行であっても、そうでなくてもよい。
【００５１】
また、カムフォロワ３２とカムフォロワ５２は光軸方向に互いに離れる方向に付勢されているが、互いに引っ張り合う方向で付勢されていてもよい。
【００５２】
また、カムフォロワ５２は、例えばポリアセタール樹脂のような樹脂製であることが望ましいが金属製であっても構わない。
【００５３】
本発明は、デジタルカメラ等の撮像装置に搭載されるレンズ鏡筒、特にズームやフォーカスなどをマニュアルで操作する一眼レフカメラ用交換レンズなどのレンズ鏡筒において有用である。
【符号の説明】
【００５４】
１  カム環、１１  カム溝、１１Ｆ  第一カム面、１１Ｒ  第二カム面、
１１Ｗ  第一縦溝部、１１Ｔ  第二縦溝部、２：案内筒、２１  案内溝、
３  レンズ保持筒、３１  レンズ部材、３２  カムフォロワ、３３  ザグリ部、
４１  支持部材、４２  カムフォロワ、４２Ｗ  カムフォロワ  （Ｗｉｄｅ位置）、
４２Ｔ  カムフォロワ  （Ｔｅｌｅ位置）、４３  コイルバネ、４４  軸ビス、
５２  カムフォロワ、５２１  平面部１、５２２  平面部２、５２３  Ｒ部、
５２Ｗ  カムフォロワ  （Ｗｉｄｅ位置）、５２Ｔ  カムフォロワ  （Ｔｅｌｅ位置）、
６２  カムフォロワ、６２１  平面部１、６２２  平面部２、６２３  Ｒ部、
６２４  平面部３、６２５  平面部４、６２Ｗ  カムフォロワ  （Ｗｉｄｅ位置）、
６２Ｔ  カムフォロワ  （Ｔｅｌｅ位置）
【図１】
2016166960.tif 000003
【図２】
2016166960.tif 000004
【図３】
2016166960.tif 000005
【図４】
2016166960.tif 000006
【図５】
2016166960.tif 000007
【図６】
2016166960.tif 000008
【図７】
2016166960.tif 000009